(57)【要約】【課題】部品点数が増加するのを抑制しながら、回路基板や本体側基板等へ物理的・電気的ダメージが加わるのを抑制することが可能な画像形成装置を提供する。【解決手段】この画像形成装置１００は、原稿の画像を読み取る光学ユニット１０と、光学ユニット１０を収容するフレーム１１と、を有する画像読取装置２と、光学ユニット１０の副走査方向の移動を規制する第１位置と、光学ユニット１０の副走査方向の移動規制を解除する第２位置と、に選択配置可能なロック機構２０と、回路基板３０と、装置本体１に設けられる取付部４０と、を備える。ロック機構２０は、光学ユニット１０の副走査方向の移動規制を解除した後に取り外し可能な着脱部材２２を含み、回路基板３０は、着脱部材２２の保持部２２ｆに保持された状態で取付部４０に取り付けられる。【選択図】図３
2017211490.tif 000002
【特許請求の範囲】
【請求項１】
副走査方向に走査して原稿の画像を読み取る光学ユニットと、前記光学ユニットを収容するフレームと、を有する画像読取装置と、
前記光学ユニットの前記副走査方向の移動を規制する第１位置と、前記光学ユニットの前記副走査方向の移動規制を解除する第２位置と、に選択配置可能なロック機構と、
画像形成装置本体に対して着脱可能な回路基板と、
前記画像形成装置本体に設けられ、前記回路基板が取り付けられる取付部と、
を備え、
前記ロック機構は、前記光学ユニットの前記副走査方向の移動規制を解除した後に取り外し可能な着脱部材を含み、
前記着脱部材は、前記回路基板を保持する保持部を有し、
前記回路基板は、前記保持部に保持された状態で前記取付部に取り付けられることを特徴とする画像形成装置。
【請求項２】
前記光学ユニットには、前記フレームの外部に突出する係合部が設けられ、
前記ロック機構は、前記係合部に係合する前記第１位置と、前記係合部との係合を解除する前記第２位置と、に選択配置されることを特徴とする請求項１に記載の画像形成装置。
【請求項３】
前記ロック機構は、前記フレームの外面に摺接するように設けられているとともに、前記フレームとの摺接抵抗によって前記第１位置または前記第２位置に固定されることを特徴とする請求項１または２に記載の画像形成装置。
【請求項４】
前記ロック機構は、前記着脱部材と、主走査方向に延びるとともに、一端部に前記着脱部材が取り付けられるリンク部材と、によって構成されることを特徴とする請求項１〜３のいずれか１項に記載の画像形成装置。
【請求項５】
前記着脱部材は、前記副走査方向に突出する係合突起を有し、
前記リンク部材は、前記副走査方向に貫通する挿入穴を有し、
前記係合突起が前記挿入穴に挿入されることによって、前記着脱部材が前記リンク部材に取り付けられることを特徴とする請求項４に記載の画像形成装置。
【請求項６】
前記回路基板には、第１コネクターが設けられており、
前記取付部には、前記第１コネクターが取り付けられる第２コネクターが設けられており、
前記着脱部材の保持部には、前記回路基板の前記第１コネクターが配置される領域の裏面を支持する支持面が設けられていることを特徴とする請求項１〜５のいずれか１項に記載の画像形成装置。
【請求項７】
前記フレームを収容するカバー部材を備え、
前記カバー部材は、前記ロック機構を前記カバー部材の外部から操作するための開口部を有し、
前記カバー部材には、前記ロック機構が前記第２位置に配置され前記着脱部材が前記ロック機構から取り外された状態で前記開口部を塞ぐシール部材が設けられていることを特徴とする請求項１〜６のいずれか１項に記載の画像形成装置。
【発明の詳細な説明】
【技術分野】
【０００１】
本発明は、画像形成装置に関し、特に、光学ユニットの移動を規制するロック機構と回路基板とを備えた画像形成装置に関する。
【背景技術】
【０００２】
複合機等の画像形成装置へのオプション部品の取り付けは、製造時ではなく画像形成装置の設置時に行われるため、作業性に配慮が必要である。特に、オプション部品としての回路基板を画像形成装置本体に取り付ける場合には、回路基板や本体側基板等への物理的・電気的ダメージを極力無くす必要がある。
【０００３】
そこで、回路基板を保持する取付用部品を別途設け、取付用部品を用いて回路基板を画像形成装置本体に取り付ける方法が考えられる。このように構成すれば、作業者が直接回路基板を把持して画像形成装置本体に取り付ける場合に比べて、回路基板や本体側基板等へ物理的・電気的ダメージが加わるのを抑制することが可能である。
【０００４】
なお、オプション部品を画像形成装置本体に取り付けた画像形成装置は、例えば特許文献１に開示されている。
【先行技術文献】
【特許文献】
【０００５】
【特許文献１】特開平１０−１３３４４３号公報
【発明の概要】
【発明が解決しようとする課題】
【０００６】
しかしながら、上記取付用部品を用いて回路基板を画像形成装置本体に取り付ける方法では、回路基板を画像形成装置本体に取り付けるために、回路基板を保持する取付用部品を別途設ける必要があるので、部品点数が増加するという問題点がある。
【０００７】
本発明は、上記のような課題を解決するためになされたものであり、本発明の目的は、部品点数が増加するのを抑制しながら、回路基板や本体側基板等へ物理的・電気的ダメージが加わるのを抑制することが可能な画像形成装置を提供することである。
【課題を解決するための手段】
【０００８】
上記目的を達成するために、本発明の第１の構成の画像形成装置は、副走査方向に走査して原稿の画像を読み取る光学ユニットと、光学ユニットを収容するフレームと、を有する画像読取装置と、光学ユニットの副走査方向の移動を規制する第１位置と、光学ユニットの副走査方向の移動規制を解除する第２位置と、に選択配置可能なロック機構と、画像形成装置本体に対して着脱可能な回路基板と、画像形成装置本体に設けられ、回路基板が取り付けられる取付部と、を備える。ロック機構は、光学ユニットの副走査方向の移動規制を解除した後に取り外し可能な着脱部材を含み、着脱部材は、回路基板を保持する保持部を有し、回路基板は、保持部に保持された状態で取付部に取り付けられる
【発明の効果】
【０００９】
本発明の第１の構成によれば、回路基板は、着脱部材の保持部に保持された状態で取付部に取り付けられる。これにより、着脱部材を用いて回路基板を取付部に取り付けることができるので、作業者が直接回路基板を把持して取付部に取り付ける場合に比べて、回路基板や取付部へ物理的・電気的ダメージが加わるのを抑制することができる。
【００１０】
また、ロック機構は、光学ユニットの副走査方向の移動規制を解除した後に取り外し可能な着脱部材を含む。これにより、画像形成装置の設置時に光学ユニットの副走査方向の移動規制を解除した後に着脱部材を取り外し、その着脱部材を、回路基板を取付部に取り付ける際に回路基板を保持する取付用部品として転用することができるので、部品点数が増加するのを抑制することができる。
【００１１】
また、光学ユニットの副走査方向の移動を規制する第１位置と、光学ユニットの副走査方向の移動規制を解除する第２位置と、に選択配置可能なロック機構を備える。これにより、画像形成装置の輸送時にロック機構を第１位置に配置しておくことによって、輸送中に光学ユニットが副走査方向に移動して破損するのを抑制することができる。そして、画像形成装置の設置時にロック機構を第２位置に配置することによって、光学ユニットの副走査方向の移動規制を解除することができる。
【図面の簡単な説明】
【００１２】
【図１】本発明の一実施形態の画像形成装置の構成を示した斜視図である。
【図２】本発明の一実施形態の画像形成装置の画像読取装置のカバー部材を除いた構造を示した斜視図である。
【図３】本発明の一実施形態の画像形成装置のロック機構周辺の構造を示した斜視図であり、ロック機構が第１位置に配置された状態を示した図である。
【図４】本発明の一実施形態の画像形成装置のロック機構周辺の構造を示した斜視図であり、ロック機構が第２位置に配置された状態を示した図である。
【図５】本発明の一実施形態の画像形成装置のロック機構の着脱部材周辺の構造を矢印Ａ方向から示した斜視図である。
【図６】本発明の一実施形態の画像形成装置のロック機構の着脱部材周辺の構造を矢印Ａ´方向から示した斜視図であり、ロック機構が第２位置に配置された状態を示した図である。
【図７】本発明の一実施形態の画像形成装置のロック機構の着脱部材周辺の構造を矢印Ａ´方向から示した斜視図であり、ロック機構が第１位置に配置された状態を示した図である。
【図８】本発明の一実施形態の画像形成装置の構成を装置背面側（矢印Ｂ´方向）から示した斜視図である。
【図９】本発明の一実施形態の画像形成装置のロック機構の着脱部材周辺の構造を示した平面図であり、ロック機構が第１位置に配置された状態を示した図である。
【図１０】本発明の一実施形態の画像形成装置のロック機構の着脱部材周辺の構造を示した平面図であり、ロック機構が第２位置に配置された状態を示した図である。
【図１１】本発明の一実施形態の画像形成装置の着脱部材の保持部に回路基板を取り付けた状態を示した斜視図である。
【図１２】本発明の一実施形態の画像形成装置の着脱部材の構造を示した斜視図である。
【図１３】本発明の一実施形態の画像形成装置の回路基板の構造を示した斜視図である。
【図１４】本発明の一実施形態の画像形成装置の取付部の構造を示した斜視図である。
【図１５】本発明の一実施形態の画像形成装置の取付部に回路基板および着脱部材を取り付けた状態を示した斜視図である。
【図１６】本発明の変形例の画像形成装置のロック機構の着脱部材周辺の構造を示した平面図であり、ロック機構が第１位置に配置された状態を示した図である。
【図１７】本発明の変形例の画像形成装置のロック機構の着脱部材周辺の構造を示した平面図であり、ロック機構が第２位置に配置された状態を示した図である。
【発明を実施するための形態】
【００１３】
以下、本発明の実施形態について図面を参照して説明する。
【００１４】
図１〜図１５を参照して、本発明の一実施形態による画像形成装置１００について説明する。図１に示すように、画像形成装置１００は、装置本体（画像形成装置本体）１と、その上部に配設された画像読取装置２と、を備える。
【００１５】
画像読取装置２の正面部には、操作ボタンや表示部を有する操作パネル３が設けられている。画像読取装置２の上部には、コンタクトガラス２ａ上に載置された原稿を押えるプラテン（図示せず）が開閉可能に設けられている。
【００１６】
画像読取装置２と装置本体１との間には、左側面及び正面に向けて大きく開放された胴内排紙空間４が設けられている。
【００１７】
装置本体１の正面部には、用紙（記録媒体）を収納する給紙カセット５が装置本体１に対して着脱可能に設けられている。
【００１８】
装置本体１の内部には、図示しない画像形成部、定着部、用紙搬送部などが設けられている。画像形成部は、画像読取装置２により読み込んだ画像データに基づいて、供給される用紙にトナー像を転写して画像を形成するものである。画像形成部は、静電潜像を担持する感光体ドラム、感光体ドラムの表面を帯電させる帯電ユニット、原稿画像に対応する静電潜像を感光体ドラムの表面にレーザービーム等によって形成する露光ユニット、形成された静電潜像に現像剤を付着させてトナー像を形成する現像ユニット、トナー像を用紙に転写する転写ローラー、感光体ドラム表面の残留トナーを除去するクリーニングブレード等を含んでいる。また、定着部は、トナー像が転写された用紙を加熱及び加圧することにより、用紙上にトナー像を定着させる。用紙搬送部は、給紙カセット５から画像形成部に用紙を搬送する。
【００１９】
画像読取装置２は図２に示すように、原稿が載置されるコンタクトガラス２ａと、コンタクトガラス２ａの下方に配置されるとともに副走査方向（矢印ＡＡ´方向）に走査して原稿の画像を読み取る光学ユニット１０と、光学ユニット１０を副走査方向に駆動する駆動機構（図示せず）と、光学ユニット１０を副走査方向に摺動可能に支持するレール部（図示せず）と、光学ユニット１０、駆動機構、レール部等を収容するフレーム１１と、フレーム１１の周囲を覆うカバー部材１２（図１参照）と、によって構成されている。光学ユニット１０は、光源および読取センサーを有するスキャナーユニット（図示せず）と、スキャナーユニットを保持するキャリッジ（図示せず）と、を含んでいる。
【００２０】
光学ユニット１０の矢印Ａ方向の部分には、上面視で略Ｌ字状のフック部（係合部）１３（図３および図４参照）が設けられている。フック部１３は、光学ユニット１０のキャリッジの一部によって形成されていてもよいし、キャリッジとは別の部材を取り付けることによって構成されていてもよい。
【００２１】
フレーム１１には、フック部１３が挿通可能な貫通穴１１ａが形成されている。また、フレーム１１の貫通穴１１ａの周辺には、フック部１３に係合可能なロック機構２０を支持する複数（ここでは４つ）の支持部１１ｂが形成されている。
【００２２】
ロック機構２０は、主走査方向（矢印ＢＢ´方向）に延びる金属製のリンク部材２１と、リンク部材２１の一端部に取り付けられる樹脂製の着脱部材２２と、によって構成されている。
【００２３】
リンク部材２１は、フレーム１１の外面に摺接するように設けられており、フレーム１１の支持部１１ｂによって主走査方向に移動可能に支持されている。リンク部材２１には、フック部１３に係合される係合穴２１ａと、着脱部材２２に係合される挿入穴２１ｂ〜２１ｄ（図５参照）と、が厚み方向（副走査方向）に貫通するように形成されている。
【００２４】
着脱部材２２には、矢印Ａ方向に突出する係合突起２２ａ〜２２ｃが形成されており、係合突起２２ａ〜２２ｃは、リンク部材２１の挿入穴２１ｂ〜２１ｄにそれぞれ挿入されて係合する。
【００２５】
また、着脱部材２２には図６に示すように、フレーム１１に向かって突出する２つの突起部２２ｄが形成されている。フレーム１１には、突起部２２ｄを上下方向から挟み込む２つのガイド部１１ｃが形成されている。なお、ガイド部１１ｃは、ロック機構２０が後述する第１位置に配置された状態（図７の状態）で、着脱部材２２の矢印Ａ´方向への移動を規制し、着脱部材２２がリンク部材２１から外れるのを防止している。
【００２６】
ロック機構２０は、リンク部材２１がフック部１３に係合する第１位置（図３の位置）と、リンク部材２１とフック部１３との係合を解除する第２位置（図４の位置）と、に選択配置される。ロック機構２０が第１位置に配置された状態では光学ユニット１０の副走査方向（矢印ＡＡ´方向）の移動が規制され、ロック機構２０が第２位置に配置された状態では光学ユニット１０の副走査方向の移動規制が解除される。なお、ロック機構２０は、リンク部材２１とフレーム１１との摺接抵抗によって第１位置または第２位置に固定される。
【００２７】
カバー部材１２の背面（矢印Ｂ´方向の面）には図８および図９に示すように、ロック機構２０の少なくとも着脱部材２２が挿通可能な開口部１２ａが形成されている。開口部１２ａは、作業者の指が挿入可能な大きさに形成されているとともに、着脱部材２２には、作業者の指を掛けるための段差部２２ｅが形成されている。これにより、ロック機構２０が第１位置（図９の位置）に配置されている状態から、作業者がロック機構２０を引いて第２位置（図１０の位置）に容易にスライドさせることができる。ロック機構２０が第２位置に配置された状態では、着脱部材２２はフレーム１１のガイド部１１ｃ（図６参照）に当接しないので、着脱部材２２を矢印Ａ´方向に移動させてリンク部材２１から取り外すことが可能となる。
【００２８】
なお、ロック機構２０が第１位置に配置された状態では図９に示すように、ロック機構２０全体がカバー部材１２の内側の装置本体１の内部に配置される。ロック機構２０が第２位置に配置された状態では図１０に示すように、着脱部材２２は開口部１２ａから外部に突出し、リンク部材２１（着脱部材２２を除くロック機構２０全体）はカバー部材１２の内側の装置本体１の内部に配置される。
【００２９】
また、着脱部材２２には図１１および図１２に示すように、回路基板３０を保持する保持部２２ｆが設けられている。保持部２２ｆには、回路基板３０の周囲を保持するために、２つの保持突起部２２ｇおよび前述した２つの突起部２２ｄが形成されている。突起部２２ｄおよび保持突起部２２ｇは、回路基板３０を保持するために略Ｌ字状に形成されている。また、保持部２２ｆには、回路基板３０の後述する第１コネクター３３が配置される領域の裏面を支持する支持面２２ｈ（図１２参照）が設けられている。
【００３０】
回路基板３０は、無線通信用のオプション部品であり、画像形成装置１００の製造時ではなく画像形成装置１００の設置時に装置本体１に取り付けられる。回路基板３０は図１３に示すように、ＩＣチップ３１と、ＩＣチップ３１に電気的に接続されたアンテナ３２と、ＩＣチップ３１に電気的に接続された第１コネクター３３と、を含んでいる。
【００３１】
図１４に示すように、装置本体１には、回路基板３０が取り付けられる取付部４０が設けられている。取付部４０は、画像形成装置１の外装カバーの内部に配置されている。
【００３２】
取付部４０は、回路基板３０が取り付けられる本体側基板５０と、本体側基板５０の裏面（図１４の奥側の面）を支持する支持板４１と、本体側基板５０の上部を覆う樹脂製の上部カバー４２と、本体側基板５０の下部を覆うとともに電磁シールドとして機能する板金ボックス４３と、によって構成されている。
【００３３】
本体側基板５０の板金ボックス４３外部に突出した部分には、第１コネクター３３が取り付けられる第２コネクター５１が設けられている。板金ボックス４３の上面には、着脱部材２２に保持された第１コネクター３３を第２コネクター５１に取り付ける際に、着脱部材２２をガイドする２つのガイドレール４３ａが設けられている。
【００３４】
この画像形成装置１００では、製品出荷時（製造直後）には図２に示すように、画像読取装置２の光学ユニット１０は矢印Ａ方向の端部に配置されており、ロック機構２０は第１位置（図３の位置）に配置されている。このため、光学ユニット１０の副走査方向の移動が規制されるので、画像形成装置１００の輸送時に光学ユニット１０が副走査方向に移動し破損することが抑制される。
【００３５】
そして、画像形成装置１００を所定位置に設置する際には、ロック機構２０を第１位置から第２位置（図４の位置）に移動させる。このとき、作業者はカバー部材１２の開口部１２ａから指を挿入し着脱部材２２を引っ張る。これにより、ロック機構２０のリンク部材２１とフック部１３との係合が解除される。また、リンク部材２１は、フレーム１１との摺接抵抗によって第２位置に固定される。
【００３６】
この状態において、ロック機構２０としての着脱部材２２は不要になるとともに、着脱部材２２はリンク部材２１に対して取り外し可能になる。このため、着脱部材２２は図１０に示すように、作業者によってリンク部材２１から取り外される。
【００３７】
次に図１１に示すように、着脱部材２２の保持部２２ｆに回路基板３０が嵌め込まれる。そして、回路基板３０が保持部２２ｆに保持された状態で、回路基板３０の第１コネクター３３が本体側基板５０の第２コネクター５１に取り付けられ、図１５の状態になる。第１コネクター３３の第２コネクター５１への取り付けは、作業者が回路基板３０には触れず着脱部材２２を把持することによって行われる。なお、着脱部材２２をガイドレール４３ａに沿わせることによって、第２コネクター５１に対する第１コネクター３３の取付作業性が向上する。以上のようにして、回路基板３０が装置本体１の取付部４０に取り付けられる。
【００３８】
本実施形態では、上記のように、回路基板３０は、着脱部材２２の保持部２２ｆに保持された状態で取付部４０に取り付けられる。これにより、着脱部材２２を用いて回路基板３０を取付部４０に取り付けることができるので、作業者が直接回路基板３０を把持して取付部４０に取り付ける場合に比べて、回路基板３０や取付部４０へ物理的・電気的ダメージが加わるのを抑制することができる。特に、回路基板３０を本体側基板５０に取り付ける場合には、作業者の手が本体側基板５０に触れると静電気で本体側基板５０が損傷する可能性があるので、着脱部材２２を用いることは、特に有効である。また、取付部４０が装置本体１の奥まった部分に配置されている場合には、着脱部材２２を用いることによって回路基板３０の取付作業性を向上させることができる。
【００３９】
また、ロック機構２０は、光学ユニット１０の副走査方向の移動規制を解除した後に取り外し可能な着脱部材２２を含む。これにより、画像形成装置１００の設置時に光学ユニット１０の副走査方向の移動規制を解除した後に着脱部材２２を取り外し、その着脱部材２２を、回路基板３０を取付部４０に取り付ける際に回路基板３０を保持する取付用部品として転用することができるので、部品点数が増加するのを抑制することができる。
【００４０】
また、光学ユニット１０の副走査方向の移動を規制する第１位置と、光学ユニット１０の副走査方向の移動規制を解除する第２位置と、に選択配置可能なロック機構２０を備える。これにより、画像形成装置１００の輸送時にロック機構２０を第１位置に配置しておくことによって、輸送中に光学ユニット１０が副走査方向に移動して破損するのを抑制することができる。そして、画像形成装置１００の設置時にロック機構２０を第２位置に配置することによって、光学ユニット１０の副走査方向の移動規制を解除することができる。
【００４１】
また、上記のように、光学ユニット１０には、フレーム１１の外部に突出するフック部１３が設けられ、ロック機構２０は、フック部１３に係合する第１位置と、フック部１３との係合を解除する第２位置と、に選択配置される。これにより、ロック機構２０を用いて、光学ユニット１０の副走査方向の移動の規制または規制解除を容易に行うことができる。
【００４２】
また、上記のように、ロック機構２０は、フレーム１１の外面に摺接するように設けられているとともに、フレーム１１との摺接抵抗によって第１位置または第２位置に固定される。これにより、容易に、ロック機構２０を第１位置または第２位置に固定することができる。
【００４３】
また、上記のように、ロック機構２０は、着脱部材２２と、主走査方向に延びるとともに、一端部に着脱部材２２が取り付けられるリンク部材２１と、によって構成される。これにより、画像形成装置１００の主走査方向の側面（背面）から光学ユニット１０の副走査方向の移動規制を解除することができる。
【００４４】
また、上記のように、着脱部材２２の係合突起２２ａ〜２２ｃがリンク部材２１の挿入穴２１ｂ〜２１ｄに挿入されることによって、着脱部材２２がリンク部材２１に取り付けられる。これにより、着脱部材２２をリンク部材２１に対して容易に着脱することができる。
【００４５】
また、上記のように、着脱部材２２の保持部２２ｆには、回路基板３０の第１コネクター３３が配置される領域の裏面を支持する支持面２２ｈが設けられている。これにより、回路基板３０の第１コネクター３３を第２コネクター５１に取り付ける際に、回路基板３０が撓むのを抑制することができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
例えば、複写機に本発明を適用した例について示したが、本発明はこれに限らず、ファクシミリ、複合機、イメージスキャナー等の画像読取装置を備えた種々の画像形成装置に本発明を適用できる。
【００４８】
また、上記実施形態では、ロック機構２０を着脱部材２２とリンク部材２１との２つの部材によって構成した例について示したが、本発明はこれに限らず、ロック機構を１つの部材（着脱部材）によって構成してもよい。この場合、ロック機構とフック部（係合部）との係合を解除した後に、ロック機構をフレーム１１から取り外して回路基板３０の取り付けに用いてもよい。
【００４９】
また、上記実施形態では、カバー部材１２の開口部１２ａを塞がないように構成したが、本発明はこれに限らない。例えば図１６および図１７に示した本発明の変形例の画像形成装置１００のように、カバー部材１２の開口部１２ａに可撓性を有するシール部材１４を設けてもよい。このとき、ロック機構２０が第１位置に配置された状態（図１６の状態）で、シール部材１４が撓んで開口部１２ａが開く。また、ロック機構２０が第２位置に配置され、着脱部材２２がリンク部材２１から取り外された状態（図１７の状態）で、シール部材１４は開口部１２ａを塞ぐ。これにより、開口部１２ａを介してカバー部材１２の内側の装置本体１の内部に塵埃等の異物が侵入するのを抑制することができる。なお、ロック機構２０が第１位置に配置された状態で、図１６とは異なり、シール部材１４が開口部１２ａを塞ぐように構成してもよい。
【符号の説明】
【００５０】
１  装置本体（画像形成装置本体）
２  画像読取装置
１０  光学ユニット
１１  フレーム
１２  カバー部材
１２ａ  開口部
１３  フック部（係合部）
１４  シール部材
２０  ロック機構
２１  リンク部材
２１ｂ〜２１ｄ  挿入穴
２２  着脱部材
２２ａ〜２２ｃ  係合突起
２２ｆ  保持部
２２ｈ  支持面
３０  回路基板
３３  第１コネクター
４０  取付部
５１  第２コネクター
１００  画像形成装置
【図１】
2017211490.tif 000003
【図２】
2017211490.tif 000004
【図３】
2017211490.tif 000005
【図４】
2017211490.tif 000006
【図５】
2017211490.tif 000007
【図６】
2017211490.tif 000008
【図７】
2017211490.tif 000009
【図８】
2017211490.tif 000010
【図９】
2017211490.tif 000011
【図１０】
2017211490.tif 000012
【図１１】
2017211490.tif 000013
【図１２】
2017211490.tif 000014
【図１３】
2017211490.tif 000015
【図１４】
2017211490.tif 000016
【図１５】
2017211490.tif 000017
【図１６】
2017211490.tif 000018
【図１７】
2017211490.tif 000019